(57)【要約】【課題】長時間ナノバブルを吐出してもノズルの吐出口が閉塞することのないナノバブル含有水製造装置およびナノバブル含有水製造方法を提供する。【解決手段】浮遊物質含有水とマイクロバブルとを接触させてマイクロバブル含有水を作製する第１槽２１と、マイクロバブルが浮遊物質含有水中の浮遊物質に付着した浮遊物質−マイクロバブル複合体を除去する排出配管３８と、排出配管３８によって浮遊物質−マイクロバブル複合体が除去されたあとのマイクロバブル含有水をせん断してナノバブル含有水を作製するナノバブル発生機２４と、を有することを特徴とするナノバブル含有水製造装置。【選択図】図１
2008296096.tif 000002
【特許請求の範囲】
【請求項１】
浮遊物質含有水とマイクロバブルとを接触させてマイクロバブル含有水を作製するマイクロバブル含有水作製手段と、
前記マイクロバブルが前記浮遊物質含有水中の浮遊物質に付着した浮遊物質−マイクロバブル複合体を除去する除去手段と、
前記除去手段によって浮遊物質−マイクロバブル複合体が除去されたあとのマイクロバブル含有水をせん断してナノバブル含有水を作製するナノバブル含有水作製手段と、を有することを特徴とするナノバブル含有水製造装置。
【請求項２】
前記除去手段によって浮遊物質−マイクロバブル複合体が除去されたあとのマイクロバブル含有水が導入されるとともに、前記マイクロバブル含有水の水面に浮上するバブルを前記マイクロバブル含有水から除去するバブル選択手段を有することを特徴とする請求項１に記載のナノバブル含有水製造装置。
【請求項３】
前記除去手段は、前記マイクロバブル含有水作製手段内のマイクロバブル含有水の少なくとも表層を吸引するものであることを特徴とする請求項１または２に記載のナノバブル含有水製造装置。
【請求項４】
前記マイクロバブルは、水中ポンプ型マイクロバブル発生機または超高速旋回型マイクロバブル発生機によって製造されることを特徴とする請求項１〜３の何れか１項に記載のナノバブル含有水製造装置。
【請求項５】
前記マイクロバブルは、空気、オゾンガス、炭酸ガス、酸素ガス、または窒素ガスによって形成されていることを特徴とする請求項１〜４の何れか１項に記載のナノバブル含有水製造装置。
【請求項６】
前記ナノバブル含有水作製手段は、第１気体せん断部、第２気体せん段部および第３気体せん断部を有し、
前記第１気体せん断部は、マイクロバブル含有水に対して１回目のせん断を行うものであり、
前記第２気体せん断部は、前記１回目のせん断後のマイクロバブル含有水に対して２回目のせん断を行うものであり、
前記第３気体せん断部は、前記２回目のせん断後のマイクロバブル含有水に対して３回目のせん断を行うものであることを特徴とする請求項１〜５の何れか１項に記載のナノバブル含有水製造装置。
【請求項７】
前記第１気体せん断部の内部の横断面は、楕円形または真円形であり、
前記第１気体せん断部の内部は、鏡面仕上げによって形成されていることを特徴とする請求項６に記載のナノバブル含有水製造装置。
【請求項８】
前記第１気体せん断部は、せん断前のマイクロバブル含有水を前記第１気体せん断部の内部に取り込むための導入口と、せん断後のマイクロバブル含有水を吐出するための吐出口とを有し、
前記吐出口の直径は、前記導入口の直径の５０〜８０％の長さであることを特徴とする請求項６または７に記載のナノバブル含有水製造装置。
【請求項９】
前記第１気体せん断部の内部には、２本以上の溝が設けられていることを特徴とする請求項６〜８の何れか１項に記載のナノバブル含有水製造装置。
【請求項１０】
前記第１気体せん断部は、毎分１．５リットル〜１２０リットルのマイクロバブル含有水を前記第２気体せん断部に向かって吐出するものであり、
前記１分間に吐出されるマイクロバブル含有水には、０．３リットル〜１．５リットルのマイクロバブルが含まれていることを特徴とする請求項６〜９の何れか１項に記載のナノバブル含有水製造装置。
【請求項１１】
前記第１気体せん断部の材料が、ステンレス、プラスチック、または樹脂であることを特徴とする請求項６〜１０の何れか１項に記載のナノバブル含有水製造装置。
【請求項１２】
前記第１気体せん断部の材料の厚さが、４ｍｍ〜５ｍｍであることを特徴とする請求項１１に記載のナノバブル含有水製造装置。
【請求項１３】
前記第２気体せん断部および第３気体せん断部の横断面は、楕円形または真円形であり、
前記第２気体せん断部および第３気体せん断部の内部表面には孔が形成されているとともに、当該孔の孔径が４ｍｍ〜９ｍｍであることを特徴とする請求項６〜１２の何れか１項に記載のナノバブル含有水製造装置。
【請求項１４】
前記浮遊物質含有水に含まれる浮遊物質の量が、１ｐｐｍ以下であることを特徴とする請求項１に記載のナノバブル含有水製造装置。
【請求項１５】
前記ナノバブル含有水作製手段に対して、ナノバブル含有水作製開始後６０秒後にマイクロバブル含有水が供給されるように、前記水中ポンプ型マイクロバブル発生機または超高速旋回型マイクロバブル発生機におけるマイクロバブル製造を調節するためのシーケンサーを備えていることを特徴とする請求項４に記載のナノバブル含有水製造装置。
【請求項１６】
浮遊物質含有水とマイクロバブルとを接触させてマイクロバブル含有水を作製するマイクロバブル含有水作製工程と、
前記マイクロバブルが前記浮遊物質含有水中の浮遊物質に付着した浮遊物質−マイクロバブル複合体を除去する除去工程と、
前記除去工程によって浮遊物質−マイクロバブル複合体が除去されたあとのマイクロバブル含有水をせん断してナノバブル含有水を作製するナノバブル含有水作製工程と、を有することを特徴とするナノバブル含有水製造方法。
【請求項１７】
前記除去工程によって浮遊物質−マイクロバブル複合体が除去されたあとのマイクロバブル含有水の水面に浮上するバブルを前記マイクロバブル含有水から除去するバブル選択工程を有することを特徴とする請求項１６に記載のナノバブル含有水製造方法。
【請求項１８】
前記ナノバブル含有水作製工程は、前記マイクロバブル含有水をせん断する工程を複数含むことを特徴とする請求項１６または１７に記載のナノバブル含有水製造方法。
【請求項１９】
前記浮遊物質含有水が、上水、排水、地下水、工業用水、浴槽水、化粧水、医薬品を含む液剤、有機溶媒等の溶剤、原油、バイオエタノール、発酵液、フッ素化合物排水であることを特徴とする請求項１６〜１８の何れか１項に記載のナノバブル含有水製造方法。
【請求項２０】
前記ナノバブル含有水が、更に、化学装置、生物装置、または物理装置に導入されることを特徴とする請求項１６〜１９の何れか１項に記載のナノバブル含有水製造方法。
【請求項２１】
請求項１６〜２０の何れか１項に記載の方法によって製造されたナノバブル含有水を含むことを特徴とする組成物。
【発明の詳細な説明】
【技術分野】
【０００１】
本発明は、ナノバブルを含有したナノバブル含有水を製造するためのナノバブル含有水製造装置およびナノバブル含有水製造方法に関するものである。
【背景技術】
【０００２】
小さな直径を有する気泡（バブル）は、そのサイズに応じてマイクロバブル、マイクロナノバブルおよびナノバブルに分類することができる。上記バブルには様々な生理作用があることが知られており、現在、このような気泡を作製する技術およびその効果に対する注目が高まっている。
【０００３】
例えば、従来から、微細気泡を利用して有用物質を皮膚を介して体内に吸収させる浴槽が用いられている（例えば、特許文献１参照）。上記浴槽は、有用物質を含有する液体を収容する容器と、浴槽内の液体中に微細気泡を発生させる微細気泡発生装置とを備え、微細気泡発生装置により浴槽内の湯水中に微細気泡を発生させる。そして、微細気泡を利用して、浴槽水中の有用物質の経皮吸収を促進している。
【０００４】
また、従来から、オゾンガスからなるマイクロバブル（オゾンマイクロバブル）を利用する廃液処理装置が用いられている（例えば、特許文献２参照）。上記廃液処理装置では、オゾン発生装置によって作製されたオゾンガスと廃液とを、加圧ポンプを用いて混合することによって、オゾンガスからなるマイクロバブルを作製している。そして、当該マイクロバブルが廃液中の有機物と化学反応することによって、廃液中の有機物が酸化分解される。
【０００５】
また、従来から、液体を原料としてナノバブルを作製する方法が知られている（例えば、特許文献３参照）。上記作製方法は、液体中において、１）上記液体の一部を分解ガス化する工程、２）上記液体に超音波を印加する工程、または３）上記液体の一部を分解ガス化する工程および上記液体に超音波を印加する工程、からなるものである。なお、液体の一部を分解ガス化する工程として、電気分解法または光分解法を用いることができることが記載されている。
【０００６】
また、従来から、ナノバブルの利用方法、およびナノバブルを利用した各種装置が知られている（例えば、特許文献４参照）。より具体的には、上記特許文献４には、ナノバブルが、浮力の減少、表面積の増加、表面活性の増大、局所高圧場の生成、または静電分極の実現によって、界面活性作用および殺菌作用を示すことが記載されている。更に、特許文献４には、ナノバブルが有する界面活性作用および殺菌作用を用いて、各種物体を洗浄する技術および汚濁水を浄化する技術が記載されている。更に、特許文献４には、ナノバブルを用いて生体の疲労を回復する方法が記載されている。なお、特許文献４では、水を電気分解するとともに、当該水に超音波振動を加えることによって、ナノバブルを作製している。
【特許文献１】特開２００６−３０５１５８号公報（平成１８年１１月９日公開）
【特許文献２】特開２００４−３２１９５９号公報（平成１６年１１月１８日公開）
【特許文献３】特開２００３−３３４５４８号公報（平成１５年１１月２５日公開）
【特許文献４】特開２００４−１２１９６２号公報（平成１６年４月２２日公開）
【発明の開示】
【発明が解決しようとする課題】
【０００７】
しかしながら、上記従来のナノバブル発生装置およびナノバブル発生方法では、ナノバブルを吐出するためのノズルの口径が小さい。それ故、ナノバブルを発生させるために用いる液体中に浮遊物質が存在すると、ナノバブルを発生させるにしたがって上記ノズルの吐出口に上記浮遊物質が付着し、その結果、ノズルの吐出口が閉塞するという問題点を有している。ノズルの吐出口が閉塞すれば、規定量のナノバブルを発生させることができないので、ナノバブルが有する各種効果を十分に発揮させることができないという問題点を有している。
【０００８】
本発明は、上記従来の問題点に鑑みなされたものであって、その目的は、長時間ナノバブルを吐出してもノズルの吐出口が閉塞することのないナノバブル含有水製造装置およびナノバブル含有水製造方法を提供することにある。
【課題を解決するための手段】
【０００９】
本発明者らは、上記課題に鑑み鋭意検討した結果、以下の１）〜４）を見出し、本発明を完成させるに至った。
【００１０】
１）マイクロバブルはマイナス電荷を有しているために浮遊物質に付着し易く、マイクロバブルが浮遊物質に付着した浮遊物質−マイクロバブル複合体は、マイクロバブル含有水中を浮上させて除去することができること。
【００１１】
２）マイクロバブル発生機にて発生させたマイクロバブルのうち、サイズが小さいが故にマイクロバブル含有水中で浮上することなく当該マイクロバブル含有水中を漂うものを用いてナノバブルを作製すれば、気液混合循環ポンプの寿命が長くなるとともに、ナノバブルの製造効率が高くなること。
【００１２】
３）ナノバブル発生機に供給すべき最適量のマイクロバブルは、電磁流量計を制御して、コントロールできること。
【００１３】
すなわち、多くのマイクロバブルをナノバブル発生機に導入する場合は、電磁流量計の測定値に基づいて多い量の液体を流せば、後述する第２槽での仕切り板間での流速が早くなり、その結果、マイクロバブルが浮上することなく、ナノバブル発生機に導入されて、ナノバブルの中でも、より大きなサイズのナノバブルを製造することが可能となること。および、少ないマイクロバブルをナノバブル発生機に導入する場合は、電磁流量計の測定値に基づいて少ない量の液体を流せば、後述する第２槽での仕切り板間の流速が遅くなり、その結果、マイクロバブルのうちで大きいサイズのものは浮上して消滅し、サイズの小さいマイクロバブルのみがナノバブル発生機に導入されて、ナノバブルの中でも、より小さいサイズのナノバブルを多量に製造することが可能となること。
【００１４】
４）ナノバブル発生機で製造されるナノバブルのサイズとナノバブル量とを、電磁流量計によって移送ポンプ（後述する移送ポンプ９）の吐出量を調節することによって、間接的にコントロールできること。すなわち、移送ポンプの吐出量と、ナノバブルのサイズおよび量とが比例関係にあること。
【００１５】
本発明のナノバブル含有水製造装置は、上記課題を解決するために、浮遊物質含有水とマイクロバブルとを接触させてマイクロバブル含有水を作製するマイクロバブル含有水作製手段と、前記マイクロバブルが前記浮遊物質含有水中の浮遊物質に付着した浮遊物質−マイクロバブル複合体を除去する除去手段と、前記除去手段によって浮遊物質−マイクロバブル複合体が除去されたあとのマイクロバブル含有水をせん断してナノバブル含有水を作製するナノバブル含有水作製手段と、を有することを特徴としている。
【００１６】
上記構成によれば、マイクロバブル含有水作製手段によって、浮遊物質含有水とマイクロバブルとを接触させてマイクロバブル含有水が作製される。このとき、マイクロバブルはマイナス電荷を有しているので、当該マイクロバブルの少なくとも一部は、浮遊物質含有水中の浮遊物質に付着して浮遊物質−マイクロバブル複合体を形成する。浮遊物質−マイクロバブル複合体には浮力が働くので、浮遊物質−マイクロバブル複合体はマイクロバブル含有水中を浮上して、除去手段によって分離される。そして、浮遊物質−マイクロバブル複合体が除去されたあとのマイクロバブル含有水をせん断すれば、効率よくナノバブル含有水を作製することができる。
【００１７】
本発明のナノバブル含有水製造装置は、前記除去手段によって浮遊物質−マイクロバブル複合体が除去されたあとのマイクロバブル含有水が導入されるとともに、前記マイクロバブル含有水の水面に浮上するバブルを前記マイクロバブル含有水から除去するバブル選択手段を有することが好ましい。
【００１８】
上記構成によれば、バブル選択手段中にマイクロバブル含有水が導入されて、その後、所望の時間だけ、マイクロバブル含有水がバブル選択手段内に保持されることになる。したがって、保持されている間に、マイクロバブル含有水に含まれる大きなバブルは、マイクロバブル含有水の表面から放出される。その結果、マイクロバブル含有水には、小さなバブルが選択的に含まれることになる。そして、当該小さなバブルを含むマイクロバブル含有水を用いてナノバブル含有水を作製すれば、当該ナノバブル含有水中に含まれるナノバブルのサイズを小さくすることができる。
【００１９】
本発明のナノバブル含有水製造装置は、前記除去手段は、前記マイクロバブル含有水作製手段内のマイクロバブル含有水の少なくとも表層を吸引するものであることが好ましい。
【００２０】
上記構成によれば、浮遊物質−マイクロバブル複合体はマイクロバブル含有水の表層近くに浮上するので、効率よく浮遊物質−マイクロバブル複合体を除去することができる。
【００２１】
本発明のナノバブル含有水製造装置では、前記マイクロバブルは、水中ポンプ型マイクロバブル発生機または超高速旋回型マイクロバブル発生機によって製造されることが好ましい。
【００２２】
上記構成によれば、マイクロバブル発生機によって容易にマイクロバブルを発生させることができる。また、水中ポンプ型マイクロバブル発生機は、多くのマイクロバブルを製造することができるので、浮遊物質含有水中の浮遊物質濃度が高い場合に用いれば、多くの浮遊物質−マイクロバブル複合体を分離することができる。また、水中ポンプ型マイクロバブル発生機は、小型ブロワーを除けば、本体を水槽に投入するだけでマイクロバブルを発生することができるので、容易に設置することができる。一方、超高速旋回型マイクロバブル発生機は、水中ポンプ型マイクロバブル発生機と比較して、発生するマイクロバブルのサイズがより微細である。したがって、浮遊物質含有水中の浮遊物質濃度が低い場合に用いれば、より確実に浮遊物質−マイクロバブル複合体を分離することができる。
【００２３】
本発明のナノバブル含有水製造装置では、前記マイクロバブルは、空気、オゾンガス、炭酸ガス、酸素ガス、または窒素ガスによって形成されていることが好ましい。
【００２４】
上記構成によれば、空気、オゾンガス、炭酸ガス、酸素ガス、または窒素ガスを成分とするナノバブルを含むナノバブル含有水を作製することができる。例えば、空気は大量に存在するので、ナノバブルの材料費を低く抑えることができるとともに、マイクロバブルを発生させるための構成を、低コストにて製造することができる。また、例えば、オゾンガスは強い酸化力を有するので、強い酸化力を有するナノバブル含有水を作製することができる。また、オゾンガスを成分とするナノバブルは、ナノバブル含有水中に長時間存在することが可能なので、所望の物質を完全に酸化することができる。また、例えば、炭酸ガスを成分とするナノバブルを含むナノバブル含有水は、洗浄作用、血流量およびインスリン様成長因子の増加作用などを有するので、上記ナノバブル含有水を浴槽水として用いることができる。また、例えば酸素ガスを成分とするナノバブルを含むナノバブル含有水は、水中の溶存酸素を高めることができるので、酸素ガスを用いた排水処理、水産養殖、活魚の蓄養、活魚の輸送に利用することができる。また、例えば窒素ガスを成分とするナノバブルを含むナノバブル含有水は、酸化防止作用があるので、酸化に弱い対象物および製品の酸化を防止することができる。
【００２５】
本発明のナノバブル含有水製造装置では、前記ナノバブル含有水作製手段は、第１気体せん断部、第２気体せん段部および第３気体せん断部を有し、前記第１気体せん断部は、マイクロバブル含有水に対して１回目のせん断を行うものであり、前記第２気体せん断部は、前記１回目のせん断後のマイクロバブル含有水に対して２回目のせん断を行うものであり、前記第３気体せん断部は、前記２回目のせん断後のマイクロバブル含有水に対して３回目のせん断を行うものであることが好ましい。
【００２６】
上記構成によれば、マイクロバブル含有水を３回せん断することができるので、バブルの微細化が更に進み、その結果、ナノバブル含有水中のナノバブルの量を増加させることができる。
【００２７】
本発明のナノバブル含有水製造装置では、前記第１気体せん断部の内部の横断面は、楕円形または真円形であり、前記第１気体せん断部の内部は、鏡面仕上げによって形成されていることが好ましい。
【００２８】
上記構成によれば、マイクロバブル含有水を高速旋回させるとともに、マイクロバブル含有水を効率良くせん断することができるので、多くのナノバブルを発生させることができる。
【００２９】
本発明のナノバブル含有水製造装置では、前記第１気体せん断部は、せん断前のマイクロバブル含有水を前記第１気体せん断部の内部に取り込むための導入口と、せん断後のマイクロバブル含有水を吐出するための吐出口とを有し、前記吐出口の直径は、前記導入口の直径の５０〜８０％の長さであることが好ましい。
【００３０】
上記構成によれば、上記第１気体せん断部において、安定的にマイクロバブルを発生させることができる。そして、当該マイクロバブルを用いれば、上記第２気体せん断部および第３気体せん断部において、安定にナノバブルを発生させることができる。一般的にマイクロバブルを安定に発生させるためには、マイクロバブル含有水の吐出圧力を高める必要がある。上記構成によれば、吐出口の直径が導入口の直径よりも小さい、具体的には、吐出口の直径が導入口の直径の５０〜８０％であることによって、マイクロバブル含有水の吐出圧力を高めることが可能になり、その結果、マイクロバブルを安定に発生させることができる。
【００３１】
本発明のナノバブル含有水製造装置では、前記第１気体せん断部の内部には、２本以上の溝が設けられていることが好ましい。
【００３２】
上記構成によれば、上記溝によって、第１気体せん断部の内部におけるマイクロバブル含有水の旋回運動を制御することができる。つまり、上記構成によれば、第１気体せん断部の内部の旋回乱流の発生を制御することができる。その結果、第１気体せん断部によって、安定に多量のマイクロバブルを発生させることができる。そして、当該マイクロバブルを用いれば、上記第２気体せん断部および第３気体せん断部において、安定にナノバブルを発生させることができる。
【００３３】
本発明のナノバブル含有水製造装置では、前記第１気体せん断部は、毎分１．５リットル〜１２０リットルのマイクロバブル含有水を前記第２気体せん断部に向かって吐出するものであり、前記１分間に吐出されるマイクロバブル含有水には、０．３リットル〜１．５リットルのマイクロバブルが含まれていることが好ましい。
【００３４】
上記構成によれば、多量のナノバブル含有水を安定に製造することができる。
【００３５】
本発明のナノバブル含有水製造装置では、前記第１気体せん断部の材料が、ステンレス、プラスチック、または樹脂であることが好ましい。
【００３６】
上記構成によれば、ナノバブル含有水の使用目的に応じて、上記第１気体せん断部の材料を選択することができる。例えば、製薬業界では、薬に金属等の不純物が混入することを避ける必要がある。この場合、上記構成であれば、第１気体せん断部の材料が混入する可能性が低いので、製造されたナノバブル含有水を医薬品の製造、すなわち製薬に使用することができる。
【００３７】
本発明のナノバブル含有水製造装置では、前記第１気体せん断部の材料の厚さが、４ｍｍ〜５ｍｍであることが好ましい。
【００３８】
上記構成によれば、第１気体せん断部の材料が厚く形成されているので、第１気体せん断部が振動することがない。つまり、第１気体せん断部の内部にてマイクロバブル含有水が旋回しても、それによって第１気体せん断部が振動することがない。したがって、第１気体せん断部の内部で旋回しているマイクロバブル含有水の流体運動エネルギーが、振動として外部（例えば、外部気体）に伝播して失われることがないので、マイクロバブル含有水を高速旋回させることができるとともに、マイクロバブル含有水のせん断エネルギーを維持することができる。その結果、上記第１気体せん断部にて、効率的にマイクロバブルを発生させることができる。
【００３９】
本発明のナノバブル含有水製造装置では、前記第２気体せん断部および第３気体せん断部の横断面は、楕円形または真円形であり、前記第２気体せん断部および第３気体せん断部の内部表面には孔が形成されているとともに、当該孔の孔径が４ｍｍ〜９ｍｍであることが好ましい。
【００４０】
上記構成によれば、上記第２気体せん断部および第３気体せん断部の内部におけるバブル含有水の旋回運動を制御することができる。つまり、上記構成によれば、上記第２気体せん断部および第３気体せん断部の内部の旋回乱流の発生を制御することができる。その結果、第２気体せん断部および第３気体せん断部によって、安定にナノバブルを発生させることができる。
【００４１】
本発明のナノバブル含有水製造装置では、前記浮遊物質含有水に含まれる浮遊物質の量が、１ｐｐｍ以下であることが好ましい。
【００４２】
上記構成によれば、浮遊物質含有水に含まれる浮遊物質の量が１ｐｐｍ以下であるので、浮遊物質−マイクロバブル複合体を効率よく形成することができる。つまり、浮遊物質含有水中に含まれる浮遊物質の大半にマイクロバブルが付着して浮遊物質−マイクロバブル複合体が形成される。その結果、浮遊物質含有水中に含まれる浮遊物質の大半を分離することができる。そして、浮遊物質の含有量が少ないマイクロバブル含有水を用いてナノバブル含有水を作製するので、効率よくナノバブル含有す水を製造することができる。
【００４３】
本発明のナノバブル含有水製造装置では、前記ナノバブル含有水作製手段に対して、ナノバブル含有水作製開始後６０秒後にマイクロバブル含有水が供給されるように、前記水中ポンプ型マイクロバブル発生機または超高速旋回型マイクロバブルにおけるマイクロバブル製造を調節するためのシーケンサーを備えていることが好ましい。
【００４４】
上記構成によれば、気液混合循環ポンプのインペラの損傷を防止することによって、安定にナノバブルを発生させることができる。
【００４５】
本発明のナノバブル含有水製造方法は、上記課題を解決するために、浮遊物質含有水とマイクロバブルとを接触させてマイクロバブル含有水を作製するマイクロバブル含有水作製工程と、前記マイクロバブルが前記浮遊物質含有水中の浮遊物質に付着した浮遊物質−マイクロバブル複合体を除去する除去工程と、前記除去工程によって浮遊物質−マイクロバブル複合体が除去されたあとのマイクロバブル含有水をせん断してナノバブル含有水を作製するナノバブル含有水作製工程と、を有することを特徴としている。
【００４６】
上記構成によれば、マイクロバブル含有水作製工程によって、浮遊物質含有水とマイクロバブルとを接触させてマイクロバブル含有水が作製される。このとき、マイクロバブルはマイナス電荷を有しているので、当該マイクロバブルの少なくとも一部は、浮遊物質含有水中の浮遊物質に付着して浮遊物質−マイクロバブル複合体を形成する。浮遊物質−マイクロバブル複合体には浮力が働くので、浮遊物質−マイクロバブル複合体はマイクロバブル含有水中を浮上して、除去工程によって分離される。そして、浮遊物質−マイクロバブル複合体が除去されたあとのマイクロバブル含有水をせん断すれば、効率よくナノバブル含有水を作製することができる。
【００４７】
本発明のナノバブル含有水製造方法では、前記除去工程によって浮遊物質−マイクロバブル複合体が除去されたあとのマイクロバブル含有水の水面に浮上するバブルを前記マイクロバブル含有水から除去するバブル選択工程を有することが好ましい。
【００４８】
上記構成によれば、バブル選択工程において、マイクロバブル含有水に含まれる大きなバブルは、マイクロバブル含有水の表面から放出される。その結果、マイクロバブル含有水には、小さなバブルが選択的に含まれることになる。そして、当該小さなバブルを含むマイクロバブル含有水を用いてナノバブル含有水が作製されるので、当該ナノバブル含有水中に含まれるナノバブルのサイズを小さくすることができる。
【００４９】
本発明のナノバブル含有水製造方法では、前記ナノバブル含有水作製工程は、前記マイクロバブル含有水をせん断する工程を複数含むことが好ましい。
【００５０】
上記構成によれば、マイクロバブル含有水を複数回せん断することができるので、バブルの微細化が更に進み、その結果、ナノバブル含有水中のナノバブルの量を増加させることができる。
【００５１】
本発明のナノバブル含有水製造方法では、前記浮遊物質含有水が、上水、排水、地下水、工業用水、浴槽水、化粧水、医薬品を含む液剤、有機溶媒等の溶剤、原油、バイオエタノール、発酵液、フッ素化合物排水であることが好ましい。
【００５２】
上記構成によれば、浮遊物質を含む様々な液体から、浮遊物質を除去することができる。その結果、当該液体に対して更なる処理を加えた場合に、浮遊物質が引き起こす様々な弊害を防止することができる。
【００５３】
本発明のナノバブル含有水製造方法では前記ナノバブル含有水が、更に、化学装置、生物装置、または物理装置に導入されることが好ましい。
【００５４】
上記構成によれば、ナノバブル含有水に対して更なる処理を施すことが可能になる。それによって、例えば、ナノバブル含有水に残存している浮遊物質や他の物質を除去することができる。
【００５５】
本発明の組成物は、上記記載の何れかの方法によって製造されたナノバブル含有水を含むことを特徴としている。
【００５６】
上記構成によれば、組成物にナノバブルが含まれる。これによって、組成物に対して、ナノバブルが有する様々な活性を持たせることができる。
【発明の効果】
【００５７】
本発明のナノバブル含有水製造装置は、以上のように、浮遊物質含有水とマイクロバブルとを接触させてマイクロバブル含有水を作製するマイクロバブル含有水作製手段と、前記マイクロバブルが前記浮遊物質含有水中の浮遊物質に付着した浮遊物質−マイクロバブル複合体を除去する除去手段と、前記除去手段によって浮遊物質−マイクロバブル複合体が除去されたあとのマイクロバブル含有水をせん断してナノバブル含有水を作製するナノバブル含有水作製手段と、を有するものである。
【００５８】
また、本発明のナノバブル含有水製造方法は、以上のように、浮遊物質含有水とマイクロバブルとを接触させてマイクロバブル含有水を作製するマイクロバブル含有水作製工程と、前記マイクロバブルが前記浮遊物質含有水中の浮遊物質に付着した浮遊物質−マイクロバブル複合体を除去する除去工程と、前記除去工程によって浮遊物質−マイクロバブル複合体が除去されたあとのマイクロバブル含有水をせん断してナノバブル含有水を作製するナノバブル含有水作製工程と、を有するものである。
【００５９】
それゆえ、浮遊物質によってノズルの吐出口が閉塞することを防止することができるという効果を奏する。
【発明を実施するための最良の形態】
【００６０】
〔実施の形態１〕
本発明の一実施形態について図１に基づいて説明すれば、以下の通りである。
【００６１】
まず、本明細書内で用いられる「マイクロバブル」および「ナノバブル」について説明する。「マイクロバブル」とは、直径５０ミクロン（μｍ）以下の微細気泡が意図される。「ナノバブル」とは、マイクロバブルよりさらに小さいバブルであって、直径が１ミクロン以下（１００ｎｍ〜２００ｎｍ）の微細気泡が意図される。一般に、マイクロバブルは、水中で縮小して、ついには消滅（完全溶解）してしまう。一方、ナノバブルは、マイクロバブルと比較して、長時間、水の中に安定に存在することができる。
【００６２】
本実施の形態のナノバブル含有水製造装置１には、貯槽１０、ナノバブル発生槽２、ナノバブル発生機２４（ナノバブル含有水作製手段）が備えられている。
【００６３】
上記貯槽１０には、浮遊物質含有水が導入される。本明細書において「浮遊物質含有水」とは、浮遊物質を含んだ液体を意図する。なお、本願発明のナノバブル含有水製造装置およびナノバブル含有水製造方法は、浮遊物質を含まない液体を導入してナノバブル含有水を製造することも可能である。
【００６４】
上記浮遊物質および液体としては特に限定されない。浮遊物質含有水としては、例えば、浮遊物質含有排水、浮遊物質含有上水、浮遊物質含有地下水、浮遊物質含有浴槽水、浮遊物質含有健康飲料原料、医薬品としての浮遊物質を含有した原料液剤、浮遊物質含有溶剤原料、浮遊物質含有原油、浮遊物質含有ガソリン、浮遊物質含有バイオエタノール、浮遊物質含有発酵液等を挙げることができるが、これらに限定されない。
【００６５】
浮遊物質含有水が導入される貯槽１０には、移送ポンプ９が設置されている。貯槽１０の水位が一定以上になると、レベルコントローラー４３およびシーケンサー６の信号に基づいて、移送ポンプ９が運転される。なお、シーケンサー６から発信される信号は、信号線５を介して各構成に送信される。また、各構成から発信される信号も、信号線５を介してシーケンサー６に送信される。移送ポンプ９は、配管２７を介して浮遊物質含有水を移送する。例えば、電動バルブ８を開けば、浮遊物質含有水の少なくとも一部が貯層１０に戻り、貯槽１０内が撹拌される。一方、電動バルブ７を開けば、浮遊物質含有水の少なくとも一部が、配管３６を介して、ナノバブル発生槽２の第１槽２１（マイクロバブル含有水作製手段）内に設けられている槽内流入管３７に移送される。このとき、配管３６内を移送される浮遊物質含有水の流量は、電磁流量計２５によって測定されている。したがって、電磁流量計２５の測定値に基づいて、シーケンサー６によって電動バルブ７および電動バルブ８を開閉すれば、配管３６内を移送される浮遊物質含有水の流量を制御することができる。
【００６６】
上記槽内流入管３７は、水中ポンプ型マイクロバブル発生機１９から発生するマイクロバブルを浮遊物質含有水に効率的に接触させる為に用いられる。槽内流入管３７の形状は特に限定されないが、入口部分と出口部分が広くなっていることが好ましい。当該構成によれば、確実に浮遊物質含有水を槽内流入管３７内に導入することが可能になる。
【００６７】
水中ポンプ型マイクロバブル発生機１９から発生するマイクロバブルは、第１槽２１内で水流２０を形成する。マイクロバブルはマイナス電荷を有しているので、マイクロバブルは浮遊物質含有水中の浮遊物質に付着して、浮遊物質−マイクロバブル複合体を形成する。上記浮遊物質−マイクロバブル複合体は第１槽２１内を次第に浮上して、微細気泡が付着した浮上物質スカム３９となる。浮上物質スカム３９は、一定量以上増加すると、排出配管３８（除去手段）および配管２６を経て、第１槽２１の外に排出される。これによって、浮遊物質含有水中の浮遊物質の量を減少させるとともに、マイクロバブル含有水を製造することができる。なお、水中ポンプ型マイクロバブル発生機１９の代わりに、超高速旋回型マイクロバブル発生機を用いることも可能である。これらの構成を用いれば、効率よくマイクロバブルを発生させることができる。
【００６８】
また、上記排出管３８は浮上物質スカム３９をマイクロバブル含有水から除去し得るものであればよく特に限定されない。例えば、第１槽２１の側面であってマイクロバブル含有水の水面近傍に設けられた開口であってもよいし、マイクロバブル含有水の表層を吸引する吸引管であってもよい。さらに、これらの構成は、積極的に浮上物質スカム３９を吸引するための吸引ポンプを備えるものであってもよい。また、排出管３８は浮上物質スカム３９を効率よく除去することができるスカムスキマーを用いて構成されていてもよい。
【００６９】
上述したように、第１槽２１内には水中ポンプ型マイクロバブル発生機１９によってマイクロバブルが供給されている。水中ポンプ型マイクロバブル発生機１９には、配管３５から取り込まれた気体がブロワー４２によって供給され、当該気体を成分とするマイクロバブルが形成される。なお、ブロワー２４によって気体を供給する場合には、電動バルブ３４を開けて、配管３５から気体を取り入れる。上記気体としては特に限定されず、例えば、空気、オゾンガス、炭酸ガス、酸素ガス、または窒素ガスを用いることができる。この場合、配管３５の一端には、上記気体を貯蔵することができるガスボンベを連結することが好ましい。これによって、所望の気体を成分とするマイクロバブルを発生させることができる。また、上記気体として空気を用いる場合には、上記配管３５の一端を、室内などに開放しておくことも可能である。
【００７０】
本実施の形態のナノバブル含有水製造装置では、シーケンサー６によって、移送ポンプ９、電動バルブ７、電動バルブ８、電磁流量計２５、ブロワー４２、電動バルブ３４、水中ポンプ型マイクロバブル発生機１９、および気液混合循環ポンプ１１が制御されている。つまり、シーケンサー６によって、上記各構成の運転を自由に設定することができるので、所望のナノバブル含有水を製造することができる。
【００７１】
第１槽２１にて浮遊物質が除去されたマイクロバブル含有水は、上部仕切板１６および下部仕切板１８によってマイクロバブル含有水の流路が形成された第２槽２２（バブル選択手段）に流入する。第２槽２２内の上部仕切板１６および下部仕切板１８の各々の数は特に限定されない。例えば、２枚の上部仕切板１６および２枚の下部仕切板１８を用いることが可能であるが、これらに限定されない。
【００７２】
また、上記第１槽２１内に設置された水中ポンプ型マイクロバブル発生機１９へ供給される気体量（例えば、空気量）が、０．７リットル／分となる様に、電動バルブ３４の開閉の程度を予め設定することが好ましい。上記構成によれば、本実施の形態のナノバブル含有水製造装置によって製造されるナノバブル含有水には、多量のナノバブルが含有される。また、上記第２槽２２のマイクロバブル含有水に含まれるマイクロバブルの量を多くすれば（例えば、電動バルブ３４の開閉の程度を調節して０．７リットル／分よりも多い空気量を供給すれば）、本実施の形態のナノバブル含有水製造装置によって製造されるナノバブル含有水には、ナノバブルとマイクロバブルの両方が含有される。
【００７３】
この場合、予め、電磁流量計２５の値と上記第２槽２２のマイクロバブル含有水に含まれるマイクロバブルの量との関係を示す検量線を作成しておけばよい。そして、電磁流量計２５の値が所望の値を示すようにシーケンサー６を操作すれば、第２槽２２のマイクロバブル含有水に含まれるマイクロバブルの量を調節することができる。なお、上記検量線を作成するためには、まず、第２槽２２のマイクロバブル含有水をサンプリングしてメスシリンダー等を用いて最初の体積を計測するとともに、このときの電磁流量計２５の値を記録する。次いで、当該サンプルを１時間以上放置して、マイクロバブルが抜けた後の体積を測定する。そして上記体積の差を計算すれば、電磁流量計２５が特定の値を示すときのマイクロバブルの量を測定することができ、その結果、検量線を作成することができる。
【００７４】
上記第２槽２２においてマイクロバブルの量が調節されたマイクロバブル含有水は、水流１５となって第３槽２３内へ流入する。上記第３槽２３と当該第３槽２３の外部にわたって、ナノバブル発生機２４が設けられている。そして、当該ナノバブル発生機２４によって、マイクロバブル含有水を用いてナノバブル含有水が製造される。ナノバブル発生機２４は、マイクロバブル発生部１２（第１気体せん断部）を有する気液混合循環ポンプ１１、第２気体せん断部１４、第３気体せん断部１７およびそれらを連結する配管を備えている。また、ナノバブル発生機２４は、シーケンサー６と接続されている。したがって、移送ポンプ９、電動バルブ７、電動バルブ８、電磁流量計２５、ブロワー４２、電動バルブ３４、水中ポンプ型マイクロバブル発生機１９、および気液混合循環ポンプ１１が、シーケンサー６内のプログラムによって制御され得る。
【００７５】
以下に、ナノバブル発生機２４について説明する。
【００７６】
上述したように、ナノバブル発生機２４は、マイクロバブル発生部１２を有する気液混合循環ポンプ１１、第２気体せん断部１４、第３気体せん断部１７を備えている。
【００７７】
従来のナノバブル発生機には、マイクロバブル発生部１２に気体を導入するための配管が存在したが、本発明では、配管３からマイクロバブル発生部１２にマイクロバブル含有水が取り込まれる。そして、マイクロバブル発生部１２において、マイクロバブル含有水に含まれるマイクロバブルを利用して、更に微細なマイクロバブルが製造される。上記微細なマイクロバブルを含むマイクロバブル含有水は、次いで第２気体せん断部１４を経由してナノバブル含有水となり、更に第３気体せん断部１７を経由して所望のサイズのナノバブルを含有するナノバブル含有水となる。そして、当該ナノバブル含有水は水流４を形成して吐出される。吐出されたナノバブル含有水は、配管２８を介して次工程を行うことのできる装置２９へと移送される。なお、装置２９としては特に限定されず、目的に応じて、適宜公知の構成を用いることが可能である。
【００７８】
ナノバブル発生機２４は、第１工程および第２工程を経て、ナノバブル含有水を製造する。以下に第１工程および第２工程について説明する。
【００７９】
〔第１工程〕
第１工程では、マイクロバブル発生部１２において、気液混合循環ポンプ１１を用いてマイクロバブル含有水の圧力が流体力学的に制御されるとともに、負圧部から気体が吸入される。なお、「負圧部」とは、気体・液体混合物中で、周りと比較して圧力が小さな領域を意図する。そして、マイクロバブル含有水を高速流体運動させて負圧部を形成し、マイクロバブルをせん断することによって更に微細なマイクロバブルを発生させる。換言すれば、マイクロバブル含有水を形成している液体と気体とを効果的に自給混合溶解するとともに、圧送する。これによって、より微細なマイクロバブルを含有するマイクロバブル含有水を形成する。
【００８０】
気液混合循環ポンプ１１としては特に限定されないが、揚程４０ｍ以上（４ｋｇ/ｃｍ２の圧力）の高揚程のポンプであることが好ましい。また、気液混合循環ポンプ１１としてはトルクが安定している２ポールのポンプを用いることが好ましい。上記構成によれば、マイクロバブル発生部１２内のマイクロバブル含有水に対して所望の圧力を加えることが可能であり、その結果、マイクロバブル含有水に含まれるマイクロバブルをより微細にせん断することができる。
【００８１】
また、気液混合循環ポンプ１１は、圧力が制御されていることが好ましい。それゆえ、本実施の形態のナノバブル含有水製造装置では、気液混合循環ポンプ１１が、シーケンサー６内のプログラム等によって制御されている。例えば、気液混合循環ポンプ１１のポンプの回転数をインバーターによって制御することによって、気液混合循環ポンプ１１の圧力を制御することができる。気液混合循環ポンプ１１の圧力を制御することができれば、マイクロバブル発生部１２内のマイクロバブル含有水に対して所望の圧力を加えることが可能であり、その結果、マイクロバブル含有水に含まれるマイクロバブルをより微細にせん断することができる。
【００８２】
また、マイクロバブル発生部１２の材料は特に限定されないが、ステンレス、プラスチック、または樹脂であることが好ましい。マイクロバブル発生部１２の厚さは特に限定されないが、本実施の形態のナノバブル含有水製造装置であれば、上記厚さを４ｍｍ〜５ｍｍにすることが可能である。なお、従来のマイクロバブル発生部は、その厚さが６ｍｍ〜１２ｍｍである。これによって、マイクロバブル発生部１２を低コストで作製することが可能になる。一般的に、マイクロバブル発生部位１２が薄ければ、マイクロバブル発生部１２内のマイクロバブル含有水の運動によって、マイクロバブル発生部１２が振動する。その結果、運動エネルギーが振動として外部に伝播して逃げるので、それによって、マイクロバブル含有水の高速流動運動が低下して、せん断エネルギーを低下させる。しかしながら、本実施の形態のナノバブル含有水製造装置では、水中ポンプ型マイクロバブル発生機１９によって予めマイクロバブルを製造しているので、マイクロバブル発生部１２内のマイクロバブル含有水の運動エネルギーは小さくてよい。その結果、従来と比較してマイクロバブル発生部１２の厚さを薄くすることが可能になる。
【００８３】
次いで、マイクロバブル発生部１２を有する気液混合循環ポンプ１１が微細なマイクロバブルを発生させるメカニズムについて説明する。
【００８４】
まず、マイクロバブル発生部１２において、マイクロバブル含有水の構成成分である液体および気体の混相旋回流を発生させる。具体的には、インペラと呼ばれる羽を超高速で回転させて、液体および気体の混相旋回流を発生させる。このとき、マイクロバブル発生部１２の中心部には、高速旋回する気体空洞部が形成される。次いで、上記気体空洞部を圧力によって竜巻状に細くして、より高速で旋回する回転せん断流を発生させる。この空洞部に対して、負圧を利用して、気体（マイクロバブル含有水に含まれるマイクロバブル）を自動的に供給させる。さらに、マイクロバブルを切断・粉砕しながら混相流を回転させる。上記切断・粉砕は、マイクロバブル発生部１２の出口付近における内外の気液二相流体の回転速度の差によって生じる。なお、その時の回転速度の差は、５００〜６００回転／秒であることが好ましい。
【００８５】
すなわち、マイクロバブル発生部１２において、流体力学的にマイクロバブル含有水の圧力を制御することによって負圧部から気体を吸入するとともに、気液混合循環ポンプ１１によってマイクロバブル含有水を高速流体運動させることによって、より微細なマイクロバブルを発生させることができる。換言すれば、気液混合循環ポンプ１１によって液体と気体とを効果的に自給混合溶解しながら圧送することにより、より微細なマイクロバブルを含有するマイクロバブル含有水を製造することができる。
【００８６】
マイクロバブル発生部１２の内部形状は特に限定されないが、楕円形でることが好ましく、真円形であることが最も好ましい。また、マイクロバブル発生部１２の内部は、更に鏡面仕上げによって形成されていることが好ましい。上記構成によれば、マイクロバブル発生部１２の内部摩擦が小さいので、マイクロバブル含有水を高速旋回させるとともに、マイクロバブル含有水を効率良くせん断することができる。その結果、多くの微細なマイクロバブルを発生させることができるとともに、最終的に多くのナノバブルを発生させることができる。
【００８７】
また、マイクロバブル発生部１２の内部には、深さ略０．３ｍｍ〜０．６ｍｍ、幅略０．８ｍｍ以内の溝を設けることが好ましい。上記構成によれば、マイクロバブル発生部１２内のマイクロバブル含有水の旋回乱流を制御することができるので、多くの微細なマイクロバブルを発生させることができるとともに、最終的に多くのナノバブルを発生させることができる。
【００８８】
また、マイクロバブル発生部１２は、マイクロバブル含有水をマイクロバブル発生部１２の内部に取り込むための導入口と、せん断後のマイクロバブル含有水を吐出するための吐出口とを有している。このとき、上記吐出口の直径は上記導入口の直径よりも短いことが好ましく、吐出口の直径が、前記導入口の直径の５０〜８０％の長さであることが最も好ましい。上記構成によれば、マイクロバブル含有水の吐出圧力を高めることができるので、安定的にマイクロバブルを発生させることができる。
【００８９】
〔第２工程〕
第２工程では、第２気体せん断部１４および第３せん断部１７によって、マイクロバブル発生部１２を経た後のマイクロバブル含有水を更にせん断することにより、マイクロバブルからナノバブルを発生させる。
【００９０】
上記気液混合循環ポンプ１１によって、マイクロバブル含有水をマイクロバブル発生部１２から、第２気体せん断部１４を経て第３気体せん断部１７へ圧送する場合には、マイクロバブル含有水が圧送される方向に向かって、徐々にまたは段階的に配管の直径が小さくなることが好ましい。上記構成によれば、マイクロバブル含有水をより高速で流体運動しながら竜巻状に細くすることができる。換言すれば、より高速で旋回する回転せん断流を発生させることができる。その結果、マイクロバブルからナノバブルを発生させることができるとともに、超高温の極限反応場を形成することができる。上記極限反応場が形成されると、局部的に高温高圧状態となり、不安定なフリーラジカルができ、同時に熱を発生する。フリーラジカルは不対電子を有する原子または分子であって、他の原子または分子から電子を奪い取って安定化しようとする。それゆえ、フリーラジカルは、強い酸化力を示すことになる。上記構成によれば、フリーラジカルによって、液体中の有機物などを酸化分解することができる。
【００９１】
本実施の形態のナノバブル含有水製造装置のように、第２気体せん断部１４および第３気体せん断部１７の２つの構成を用いれば、１つの構成を用いる場合と比較して多量のナノバブルを形成することができる。
【００９２】
また、第２気体せん断部１４および第２気体せん断部１７は、ステンレス、プラスチック、または樹脂によって形成されていることが好ましい。上記構成によれば、ナノバブル含有水の使用目的に応じて、上記第２気体せん断部１４および第２気体せん断部１７の材料を選択することができる。例えば、製薬業界では、薬に不純物が混入することを避ける必要がある。この場合、上記構成であれば、第２気体せん断部１４および第２気体せん断部１７の材料が混入する可能性が低いので、製造されたナノバブル含有水を医薬品の製造、すなわち製薬に使用することができる。
【００９３】
また、第２気体せん断部１４および第２気体せん断部１７の内部の形状は、楕円形であることが好ましく、真円形であることが最も好ましい。上記構成によれば、第２気体せん断部１４および第２気体せん断部１７の内部抵抗が小さいので、マイクロバブル含有水を高速旋回させるとともに、マイクロバブル含有水を効率良くせん断することができ、その結果、多くのナノバブルを発生させることができる。
【００９４】
また、第２気体せん断部１４と第３気体せん断部１７の本体中心部には、孔が開いていることが好ましい。上記孔の開口の直径は特に限定されないが、４ｍｍ〜９ｍｍであることが好ましい。上記構成によれば、上記第２気体せん断部および第３気体せん断部の内部におけるバブル含有水の旋回運動を制御することができる。つまり、上記構成によれば、上記第２気体せん断部および第３気体せん断部の内部の旋回乱流の発生を制御することができる。その結果、第２気体せん断部および第３気体せん断部によって、安定にナノバブルを発生させることができる。
【００９５】
ナノバブル発生機２４を構成している気液混合循環ポンプ１１、マイクロバブル発生部1２、気体せん断部１４、および気体せん断部１７は、市販されているもの（例えば、株式会社  協和機設社製のバビダスＨＹＫ型）を用いることが可能である。
【００９６】
〔実施の形態２〕
本発明の他の実施の形態について図２に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【００９７】
本実施の形態のナノバブル含有水製造装置では、図２に示すように、浮遊物質含有水として、浮遊物質含有原油が貯槽１０に導入される。さらに、本実施の形態のナノバブル含有水製造装置では、図２に示すように、製造されたナノバブル含有水が、常圧蒸留装置３０に導入される。
【００９８】
上記浮遊物質含有原油としては特に限定されず、例えば、自然界で採取される原油などを用いることができる。
【００９９】
従来から常圧蒸留装置または分解装置によって、ガソリン、灯油、軽油、重油などの様々な石油製品を生産しているが、この場合、加熱炉によって予め温められた原油を常圧蒸留装置に導入することによって、ガソリン、灯油、軽油、重油などの様々な石油製品を生産している。しかしながらこの方法では、原油中に浮遊物質が多いと、加熱炉の熱交換器に浮遊物質が付着して、熱交換効率を低下させるという問題点を有している。
【０１００】
一方、本実施の形態のナノバブル含有水製造装置は、原油中の浮遊物質を除去することができるとともに、ナノバブルを原油中に含有させることができるので、常圧蒸留装置３０（または分解装置）での石油製品の生産効率を高めることができる。すなわち、原油から、１）ＬＰガス等の石油ガスの分留、２）ガソリン・ナフサの分留、３）灯油、ジェット燃料などの分留、４）軽油などの分留、５）残油などの分離精製、の効率を高めることができる。
【０１０１】
なお、これらのことは、原油に限らず、各種化学反応において対象とする液体中の浮遊物質を除去すれば、同様の効果を得ることができる。
【０１０２】
〔実施の形態３〕
本発明の他の実施の形態について図３に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１０３】
本実施の形態のナノバブル含有水製造装置では、図３に示すように、浮遊物質含有水として、浮遊物質含有培養液が貯槽１０に導入される。さらに、本実施の形態のナノバブル含有水製造装置では、図２に示すように、製造されたナノバブル含有水が、生物装置３１に導入される。
【０１０４】
上記浮遊物質含有培養液としては特に限定されず、各種培養液を用いることができる。例えば、浮遊物質含有培養液として微生物培養用培養液、動物細胞培養用培養液、昆虫細胞培養用培養液、または植物細胞培養用培養液等を用いることが可能であるが、これらに限定されない。
【０１０５】
また、上記生物装置３１としても特に限定されず、適宜公知の装置を用いることができる。例えば、生物装置３１として、各種培養槽（例えば、植物栽培における水耕栽培装置、魚類や貝類の養殖装置、培養装置など）、排水処理に用いる曝気槽、接触酸化槽、回転円盤槽等を用いることが可能であるが、これに限定されない。
【０１０６】
従来から、生物装置を用いて工業的に製品を生産する場合、経済的に安価な原料が使用されている。例えば、醗酵による医薬品の生産およびビール等の醸造では、安価な原料（例えば、培養液）を用いて、付加価値の高い製品を生産している。しかしながら、安価な原料（例えば、培地）には、浮遊物質が混入していることが多い。
【０１０７】
本実施の形態のナノバブル含有水製造装置では、浮遊物質含有培養液中の浮遊物質を除去することができるとともに、ナノバブルを培養液中に含有させることができるので、生物装置３１における製品の生産効率を高めることができる。
すなわち、培養液中に存在する生体反応阻害物質を除去することによって、例えば酵母、細菌または原生動物の活動を高め、その結果、製品の生産効率を高めることができるとともに、製品の品質を高めることができる。
【０１０８】
〔実施の形態４〕
本発明の他の実施の形態について図４に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１０９】
本実施の形態のナノバブル含有水製造装置では、図４に示すように、製造されたナノバブル含有水が、物理装置３２に導入される。
【０１１０】
上記物理装置３２としては特に限定されないが、例えば、活性炭吸着槽、各種脱水装置、液中膜、精密ろ過膜、限外ろ過膜、逆浸透膜などを用いることが好ましい。
【０１１１】
本実施の形態のナノバブル含有水製造装置では、第３槽２３にて製造されたナノバブル含有水が物理装置３２（例えば、活性炭吸着槽）に導入されている。したがって、第１槽２１にて、浮遊物質が浮遊物質−マイクロバブル複合体として除去され、その後、物理装置３２（例えば、活性炭吸着槽）にて、ナノバブル含有水中に残存する浮遊物質が物理的に吸着されて除去される。なお、上記物理装置３２として活性炭吸着槽を用いた場合、活性炭はナノバブルによって常に洗浄されるので、ナノバブルを含有していない場合と比較して、活性炭の閉塞現象が発生しにくい。
【０１１２】
また、活性炭の寿命は、浮遊物質を除去しようとする液体の水質によって決定される。そして、浮遊物質が活性炭表面に完全に吸着すれば、活性炭を取り替える必要があった。しかしながら、本実施の形態のナノバブル含有水製造装置は、ナノバブルによって活性炭に繁殖する微生物の活性を高めることができるので、当該微生物によって活性炭に吸着された浮遊物質を分解することができる。その結果、活性炭の寿命を大幅に延ばすことができるので、ランニングコストを低減できる。
【０１１３】
〔実施の形態５〕
本発明の他の実施の形態について図５に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１１４】
本実施の形態のナノバブル含有水製造装置では、図５に示すように、浮遊物質含有水として、浮遊物質含有飲料原料が貯槽１０に導入される。さらに、本実施の形態のナノバブル含有水製造装置では、図５に示すように、製造されたナノバブル含有水が、飲料製品４０に導入される。
【０１１５】
上記浮遊物質含有飲料原料としては特に限定されず、適宜公知の原料を用いることができる。
【０１１６】
また、上記飲料製品４０としても、特に限定されない。例えば、上記飲料製品４０としては、健康飲料水に代表される各種飲料水を用いることができるが、これに限定されない。
【０１１７】
一般的に飲料水も、浮遊物質が混入していると、見た目にも、舌触りの観点からも商品的価値がない。そこで、本実施の形態のナノバブル含有水製造装置は、浮遊物質をマイクロバブルで除去することができるとともに、飲料水の付加価値を高めることができる。例えば、ナノバブルは各種生理活性作用を有することが知られている。したがって、飲料水中のナノバブルが腸管から吸収されることによって、体内に各種効果を及ぼすことができる。また、ナノバブルは長時間にわたって飲料水中に存在するため、飲料水が雑菌によって汚染されることがない。したがって、飲料水の品質を長時間にわたって維持することができる。
【０１１８】
〔実施の形態６〕
本発明の他の実施の形態について図６に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１１９】
本実施の形態のナノバブル含有水製造装置では、図６に示すように、ブロワー４２に対してオゾンボンベ４６からオゾンガスを供給している。
【０１２０】
本実施の形態のナノバブル含有水製造装置では、オゾンボンベ４６からブロワー４２にオゾンガスが供給されているので、第１槽２１では、オゾンガスからなるマイクロバブルが発生している。当該マイクロバブルは強力な酸化作用を有するので、浮遊物質含有水中の有機物を酸化処理することができるとともに、浮遊物質にオゾンを付着させて浮上させ、浮遊物質スカム３９として浮遊物質を除去することができる。
【０１２１】
また、本実施の形態のナノバブル含有水製造装置は、オゾンガスからなるマイクロバブルをナノバブル発生機２４に導入して、オゾンガスからなるナノバブルを製造することができる。そして、装置２９にオゾンガスからなるナノバブルが導入されて、有効利用される。ナノバブルは、マイクロバブルよりも、水中での持続時間が１週間以上長いことが知られている。それゆえ、オゾンガスからなるナノバブルを含むナノバブル含有水をプール水として利用すれば、定期的なプール水の殺菌作業を削減することができる。
【０１２２】
〔実施の形態７〕
本発明の他の実施の形態について図７に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１２３】
本実施の形態のナノバブル含有水製造装置では、図７に示すように、ブロワー４２に対して液化炭酸ガスボンベ４７から炭酸ガスを供給している。さらに、本実施の形態のナノバブル含有水製造装置では、図７に示すように、製造されたナノバブル含有水が、浴槽４１に導入される。また、本実施の形態のナノバブル含有水製造装置では、図７に示すように、貯槽１０に対して、浮遊物質含有浴槽水が供給されている。
【０１２４】
本実施の形態のナノバブル含有水製造装置では、液化炭酸ガスボンベ４７からブロワー４２に炭酸ガスが供給されているので、第１槽２１では、炭酸ガスからなるマイクロバブルが発生している。そして、本実施の形態のナノバブル含有水製造装置は、浮遊物質に炭酸ガスを付着させて浮上させ、浮遊物質スカム３９として浮遊物質を除去することができる。
【０１２５】
また、本実施の形態のナノバブル含有水製造装置は、炭酸ガスからなるマイクロバブルをナノバブル発生機２４に導入して、炭酸ガスからなるナノバブルを製造することができる。そして、浴槽４１に炭酸ガスからなるナノバブルを含むナノバブル含有水が導入されるので、浴槽４１に入浴することによって、炭酸ガスナノバブルが皮膚から吸収されて毛細血管に入り、体内の血流量を増加させたり、またはインスリン様成長因子を増加させることができる。それゆえ、本実施の形態のナノバブル含有水製造装置は、各種疾病に有効な浴槽水を製造することができる。
【０１２６】
〔実施の形態８〕
本発明の他の実施の形態について図８に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１２７】
本実施の形態のナノバブル含有水製造装置では、図８に示すように、ブロワー４２に対して液化窒素ガスボンベ４９から窒素ガスを供給している。さらに、本実施の形態のナノバブル含有水製造装置では、図８に示すように、製造されたナノバブル含有水が、液剤製品４８に導入される。また、本実施の形態のナノバブル含有水製造装置では、図８に示すように、貯槽１０に対して、浮遊物質含有液剤が供給されている。
【０１２８】
本実施の形態のナノバブル含有水製造装置では、液化窒素ガスボンベ４９からブロワー４２に窒素ガスが供給されているので、第１槽２１では、窒素ガスからなるマイクロバブルが発生している。そして、本実施の形態のナノバブル含有水製造装置は、浮遊物質に窒素ガスを付着させて浮上させ、浮遊物質スカム３９として浮遊物質を除去することができる。
【０１２９】
上記液剤製品４８としては特に限定されず、例えば、医薬品、医薬部外品、健康飲料、食品など多くの液剤を用いることができる。
【０１３０】
本実施の形態のナノバブル含有水製造装置では、液剤製品４８中に窒素ガスからなるナノバブルを含むナノバブル含有水を導入することができるので、液剤製品４８中の溶存酸素による液剤成分の酸化を防止することができる。
【０１３１】
〔実施の形態９〕
本発明の他の実施の形態について図９に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１３２】
本実施の形態のナノバブル含有水製造装置では、図９に示すように、ブロワー４２に対して液化炭酸ガスボンベ４７から炭酸ガスを供給している。さらに、本実施の形態のナノバブル含有水製造装置では、図９に示すように、製造されたナノバブル含有水が、液剤製品４８に導入される。また、本実施の形態のナノバブル含有水製造装置では、図９に示すように、貯槽１０に対して、浮遊物質含有飲料が供給されている。
【０１３３】
上記飲料製品５０としては特に限定されず、例えば、サイダー、ラムネなどに代表される飲料水を用いることができる。
【０１３４】
本実施の形態のナノバブル含有水製造装置では、液化炭酸ガスボンベ４７からブロワー４２に炭酸ガスが供給されているので、第１槽２１では、炭酸ガスからなるマイクロバブルが発生している。そして、本実施の形態のナノバブル含有水製造装置は、浮遊物質に炭酸ガスを付着させて浮上させ、浮遊物質スカム３９として浮遊物質を除去することができる。
本実施の形態のナノバブル含有水製造装置では、炭酸ガスからなるマイクロバブルを含むマイクロバブル含有水がナノバブル発生機２４に導入されるので、炭酸ガスからなるナノバブルを含むナノバブル含有水を製造することができる。そして、上記ナノバブル含有水が飲料製品５０に導入されるので、従来とは味が異なる飲料水を製造することができる。
また、飲料製品５０中の炭酸ガスナノバブルは、腸管から吸収されて毛細血管に取り込まれ、その結果、体内の血流量を増加させるとともにインスリン様成長因子を増加させることができるので、飲料製品５０の飲料水としての付加価値を高めることができる。
飲料としては、炭酸飲料としてのサイダー、ラムネなど多くの商品が該当する。
【０１３５】
〔実施の形態１０〕
本発明の他の実施の形態について図１０に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
本実施の形態のナノバブル含有水製造装置では、図１０に示すように、貯槽１０に対して、浮遊物質含有使用済浴槽水が供給されている。また、本実施の形態のナノバブル含有水製造装置では、図１０に示すように、製造されたナノバブル含有水が、浴槽４１に導入される。
【０１３６】
上記浴槽４１としては特に限定されないが、病院、健康ランド、銭湯、老人ホーム等における大規模な浴槽を用いることができる。
浮遊物質含有使用済浴槽水には、老廃物、汚れ、または垢など浮遊物質が含まれている。
【０１３７】
本実施の形態のナノバブル含有水製造装置では、ブロワー４２に空気が供給されているので、第１槽２１では、空気からなるマイクロバブルが発生している。そして、本実施の形態のナノバブル含有水製造装置は、浮遊物質に上記マイクロバブルを付着させて浮上させ、浮遊物質スカム３９として浮遊物質を除去することができる。そして、本実施の形態のナノバブル含有水製造装置では、ナノバブル含有水を浴槽水として浴槽４１に導入している。その結果、浴槽水を再利用することができる。
【０１３８】
浴槽４１にはナノバブル含有水が導入されているので、当該浴槽４１に入浴すれば、体内の血流量を増加させることができるとともにインスリン様成長因子を増加させることができる。
【０１３９】
〔実施の形態１１〕
本発明の他の実施の形態について図１１に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
本実施の形態のナノバブル含有水製造装置では、図１１に示すように、貯槽１０に対して、浮遊物質含有有機フッ素化合物排水が供給されている。また、本実施の形態のナノバブル含有水製造装置では、図１１に示すように、最終産物であるナノバブル含有水は、処理水として廃棄される。
【０１４０】
上記浮遊物質含有有機フッ素化合物排水はフッ素化合物を含むものであればよく特に限定されないが、フッ素化合物の濃度は比較的低濃度であることが好ましい。具体的には、フッ素化合物の濃度は、３ｐｐｍ以下であることが好ましい。
従来、浮遊物質含有有機フッ素化合物排水は、排水処理が非常に困難と言われている。また、有機フッ素化合物であるＰＦＯＳ（パーフルオロオクタンスルホン酸）やＰＦＯＡ（パーフルオロオクタン酸）による、環境や生体への汚染が数多く報告されている。例えば、環境汚染とは関係ないと思われる北極熊、アザラシ、鯨などの血液から、有機フッ素化合物が検出されている。
本実施の形態のナノバブル含有水製造装置では、ブロワー４２に空気が供給されているので、第１槽２１では、空気からなるマイクロバブルが発生している。そして、本実施の形態のナノバブル含有水製造装置は、浮遊物質に上記マイクロバブルを付着させて浮上させ、浮遊物質スカム３９として浮遊物質を除去することができる。そして、本実施の形態のナノバブル含有水製造装置では、ナノバブル発生機２４によって、浮遊物質を除去した有機フッ素化合物排水中にナノバブルを発生させる。ナノバブルは強い酸化作用を示すフリーラジカルを発生するので、有機フッ素化合物を分解することができる。
【０１４１】
〔実施の形態１２〕
本発明の他の実施の形態について図１２に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
本実施の形態のナノバブル含有水製造装置では、図１２に示すように、貯槽１０に対して、浮遊物質含有有機フッ素化合物排水が供給されている。また、本実施の形態のナノバブル含有水製造装置では、図１２に示すように、製造されたナノバブル含有水が、装置２９に導入される。
上記装置２９としては特に限定されない。目的に応じて、各種装置を用いることができる。
本実施の形態のナノバブル含有水製造装置では、ブロワー４２に空気が供給されているので、第１槽２１では、空気からなるマイクロバブルが発生している。そして、本実施の形態のナノバブル含有水製造装置は、浮遊物質に上記マイクロバブルを付着させて浮上させ、浮遊物質スカム３９として浮遊物質を除去することができる。そして、本実施の形態のナノバブル含有水製造装置では、ナノバブル発生機２４によって、浮遊物質を除去した有機フッ素化合物排水中にナノバブルを発生させる。ナノバブルは強い酸化作用を示すフリーラジカルを発生するので、有機フッ素化合物を分解することができる。
【０１４２】
〔実施の形態１３〕
本発明の他の実施の形態について図１３に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
本実施の形態のナノバブル含有水製造装置では、図１３に示すように、貯槽１０に対して、浮遊物質含有有機フッ素化合物排水が供給されている。また、本実施の形態のナノバブル含有水製造装置では、図１３に示すように、製造されたナノバブル含有水が、装置３３に導入される。
【０１４３】
上記装置３３としては特に限定されない。例えば、上記装置３３としては、生物装置、化学装置または物理装置を用いることができる。上記生物装置としては特に限定されないが、例えば排水処理における曝気槽、または発酵分野での発酵槽などを挙げることができる。また、上記化学装置としては特に限定されないが、例えば各種化学反応槽などを挙げることができる。また、上記物理装置としては特に限定されないが、例えば各種膜分離槽、活性炭吸着塔、イオン交換塔、またはキレート樹脂塔などを挙げることができる。
本実施の形態のナノバブル含有水製造装置では、ブロワー４２に空気が供給されているので、第１槽２１では、空気からなるマイクロバブルが発生している。そして、本実施の形態のナノバブル含有水製造装置は、浮遊物質に上記マイクロバブルを付着させて浮上させ、浮遊物質スカム３９として浮遊物質を除去することができる。そして、本実施の形態のナノバブル含有水製造装置では、ナノバブル発生機２４によって、浮遊物質を除去した有機フッ素化合物排水中にナノバブルを発生させる。ナノバブルは強い酸化作用を示すフリーラジカルを発生するので、有機フッ素化合物を分解することができる。
【０１４４】
また、本実施の形態のナノバブル含有水製造装置では、ナノバブル含有水を、装置３３に導入する。上記装置３３として生物装置、化学装置または物理装置を用いれば、これら装置は有機フッ素化合物の処理能力が高いので、ナノバブル含有被処理水から更に有機フッ素化合物を除去することができる。
〔実施の形態１４〕
本発明の他の実施の形態について図１４に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
本実施の形態のナノバブル含有水製造装置では、図１４に示すように、貯槽１０に対して、浮遊物質含有有機フッ素化合物排水が供給されている。また、本実施の形態のナノバブル含有水製造装置では、図１４に示すように、製造されたナノバブル含有水が、活性炭吸着槽５１に導入される。
本実施の形態のナノバブル含有水製造装置では、ブロワー４２に空気が供給されているので、第１槽２１では、空気からなるマイクロバブルが発生している。そして、本実施の形態のナノバブル含有水製造装置は、浮遊物質に上記マイクロバブルを付着させて浮上させ、浮遊物質スカム３９として浮遊物質を除去することができる。そして、本実施の形態のナノバブル含有水製造装置では、ナノバブル発生機２４によって、浮遊物質を除去した有機フッ素化合物排水中にナノバブルを発生させる。ナノバブルは強い酸化作用を示すフリーラジカルを発生するので、有機フッ素化合物を分解することができる。
【０１４５】
また、本実施の形態のナノバブル含有水製造装置では、ナノバブル含有水を、活性炭吸着槽５１に導入する。当該活性炭吸着槽５１によって、ナノバブル含有水から更にフッ素化合物を除去することができる。なお、フッ素化合物吸着後の活性炭は、焼却処理する。フッ素化合物は、約１０００℃以上で分解することができる。
【実施例】
【０１４６】
図１に基づき、ナノバブル含有水製造装置を作製した。具体的には貯槽１０の容量が１ｍ３、ナノバブル発生槽２の容量が１．５ｍ３、ブロワー４２の空気吐出量が２リットル／分、気液混合循環ポンプ１１の電動機が３．７ｋｗ、第３槽２３の容量が０．１５ｍ３の仕様で構成した。
【０１４７】
水中ポンプ型マイクロバブル発生機１９としては、野村電子工業株式会社のマイクロバブラーＭＢ型、また気液混合循環ポンプ１１、第２気体せん断部１４、第３気体せん断部１７などから構成されるナノバブル発生機２４としては、株式会社  協和機設のバビダスＨＹＫ型を用いた。
そして、３２ｐｐｍの浮遊物質を含む浮遊物質含有水を貯槽１０に導入し、これによって作製されたナノバブル含有水中の浮遊物質の濃度を、ＪＩＳのＯＫ１０２に基づいて測定した。ナノバブル含有水中の浮遊物質の濃度は、１ｐｐｍ以下となり、完全に浮遊物質が除去された。また、ナノバブル含有水中のナノバブルをベックマン・コールター株式会社の電気抵抗法での側定を実施したところ、１３０ｎｍ付近をピークとして、ナノバブルが発生していることが確認できた。
【０１４８】
なお本発明は、以上説示した各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。
【産業上の利用可能性】
【０１４９】
本発明は、浄水装置、入浴装置、飲料水製造装置、石油関連製品製造装置などに代表される各種液体処理装置やその部品を製造する分野に利用することができる。
【図面の簡単な説明】
【０１５０】
【図１】本発明におけるナノバブル含有水製造装置の実施の一形態を示す模式図である。
【図２】本発明におけるナノバブル含有水製造装置の他の実施の形態を示す模式図である。
【図３】本発明におけるナノバブル含有水製造装置のさらに他の実施の形態を示す模式図である。
【図４】本発明におけるナノバブル含有水製造装置のさらに他の実施の形態を示す模式図である。
【図５】本発明におけるナノバブル含有水製造装置のさらに他の実施の形態を示す模式図である。
【図６】本発明におけるナノバブル含有水製造装置のさらに他の実施の形態を示す模式図である。
【図７】本発明におけるナノバブル含有水製造装置のさらに他の実施の形態を示す模式図である。
【図８】本発明におけるナノバブル含有水製造装置のさらに他の実施の形態を示す模式図である。
【図９】本発明におけるナノバブル含有水製造装置のさらに他の実施の形態を示す模式図である。
【図１０】本発明におけるナノバブル含有水製造装置のさらに他の実施の形態を示す模式図である。
【図１１】本発明におけるナノバブル含有水製造装置のさらに他の実施の形態を示す模式図である。
【図１２】本発明におけるナノバブル含有水製造装置のさらに他の実施の形態を示す模式図である。
【図１３】本発明におけるナノバブル含有水製造装置のさらに他の実施の形態を示す模式図である。
【図１４】本発明におけるナノバブル含有水製造装置のさらに他の実施の形態を示す模式図である。
【符号の説明】
【０１５１】
１  ナノバブル含有水製造装置
２  ナノバブル発生槽
３・１３・２６・２７・２８・３５・３６  配管
４・１５・２０  水流
５  信号線
６  シーケンサー
８・７  電動バルブ
９  移送ポンプ
１０  貯槽
１１  気液混合循環ポンプ
１２  マイクロバブル発生部（第１気体せん断部）
１４  第２気体せん断部
１６  上部仕切板
１７  第３気体せん断部
１８  下部仕切板
１９  水中ポンプ型マイクロバブル発生機
２１  第１槽（マイクロバブル含有水作製手段）
２２  第２槽（バブル選択手段）
２３  第３槽
２４  ナノバブル発生機（ナノバブル含有水作製手段）
２５  電磁流量計
２９  装置
３０  常圧蒸留装置
３１  生物装置
３２  物理装置
３３  装置
３４  電動バルブ
３７  槽内流入管
３８  排出配管（除去手段）
３９  浮上物質スカム
４０・５０  飲料製品
４１  浴槽
４２  ブロワー
４３  レベルコントローラー
４４  電動バルブ
４５  減圧弁
４６  オゾンボンベ
４７  液化炭酸ガスボンベ
４８  液剤製品
４９  液化窒素ガスボンベ
５０  飲料製品
５１  活性炭吸着槽
【図１】
2008296096.tif 000003
【図２】
2008296096.tif 000004
【図３】
2008296096.tif 000005
【図４】
2008296096.tif 000006
【図５】
2008296096.tif 000007
【図６】
2008296096.tif 000008
【図７】
2008296096.tif 000009
【図８】
2008296096.tif 000010
【図９】
2008296096.tif 000011
【図１０】
2008296096.tif 000012
【図１１】
2008296096.tif 000013
【図１２】
2008296096.tif 000014
【図１３】
2008296096.tif 000015
【図１４】
2008296096.tif 000016